(57)【要約】      （修正有）【課題】口腔内の清潔度を簡便かつ短時間で経済的にも有利に、しかも精度よく判定し、これにより口腔内の清潔度を予測することができ、集団検診、健康診断、保健指導等の健康教育などで広範囲かつ多数の被験者の検査に使用することができる口腔内清潔度検査キットを提供する。【解決手段】洗口用液の計量具１と、この洗口用液を用いて洗口後の吐出液が入れられる回収具２と、この吐出液のアンモニア濃度検査具３とを備え口腔内清潔度検査キットを構成する。さらに、吐出液の濁度測定装置を備えてもよい。【選択図】図１
0003151124.tif 000002
【実用新案登録請求の範囲】
【請求項１】
洗口用液の計量具と、この洗口用液を用いて洗口後の吐出液が入れられる回収具と、この吐出液のアンモニア濃度検査具とを備えたことを特徴とする口腔内清潔度検査キット。
【請求項２】
アンモニア濃度検査具が、アンモニア濃度により呈色反応するアンモニア濃度測定具とその色調判定具とを備えたものである請求項１記載の口腔内清潔度検査キット。
【請求項３】
アンモニア濃度検査具が、アンモニア性窒素濃度で０〜２０ｍｇ／Ｌの測定範囲を有するものである請求項１又は２記載の口腔内清潔度検査キット。
【請求項４】
洗口用液の計量具と、この洗口用液を用いて洗口後の吐出液が入れられる回収具と、この吐出液の濁度測定具とを備えたことを特徴とする口腔内清潔度検査キット。
【請求項５】
濁度測定具が、波長４２０〜７２０ｎｍの光の吸光度を測定するものである請求項４記載の口腔内清潔度検査キット。
【請求項６】
濁度測定具が、濁度測定器とその測定検体収容具とを備えたものである請求項４又は５記載の口腔内清潔度検査キット。
【請求項７】
濁度測定具が、光電比色計である請求項４、５又は６記載の口腔内清潔度検査キット。
【考案の詳細な説明】
【技術分野】
【０００１】
本考案は、口腔内を洗口後の吐出液のアンモニア濃度又は濁度を迅速かつ簡便に精度良く測定でき、これにより口腔内の清潔度を予測することができる口腔内清潔度検査キットに関する。
【背景技術】
【０００２】
口腔内の清潔度は、唾液や口腔内全体の総細菌数に依存すると考えられている。しかし、総細菌数の測定は、時間と多くの労力を要するため面倒であり、集団検診等で用いることは困難であった。
【０００３】
口腔内の清潔度の評価については、唾液や歯垢などを培養しコロニー数をカウントする方法（非特許文献１）、細菌に特異的な酵素活性を測定する方法、細菌の抗原量や遺伝子量を測定する方法（非特許文献２，３）などが提案されている。しかしながら、これらは測定終了までに早いものでも５分間から数日間を要し、また、高価な分析機器を用いる場合も多く、操作が面倒で汎用性にも劣るものであった。
【０００４】
更に、プラーク（歯垢）や歯石の存在、舌苔の付着量、唾液の濁度、口腔内の細菌数などを簡便にチェックできる方法が提案されている。例えば唾液の濁度を測定してう蝕、歯周病等の口腔内疾患の有無を判定する方法として、唾液性状検査用キット及び口腔内疾患判定方法（特許文献１：特開２００４−１０８９７６号公報参照）が提案されている。しかし、この方法は唾液中の不溶性物質量を視覚的に判定するものである上、唾液の成分が均等に分散し難いために精度に劣るものであった。
【０００５】
口腔内の細菌数を調べる方法としては、一般に試料を一定倍数に希釈・分散させ、培養後のコロニー数をカウントする方法が行われているが、この方法は希釈倍数に個人差が影響したり、培地調製や培養時間に長時間を要するなど、操作が面倒であった。
【０００６】
特定細菌に対するモノクローナル抗体を用いた口腔内の細菌量の測定（特許文献２：特開昭６０−７３４６３号公報、特許文献３：特開昭６２−２１１５５８号公報参照）、ＤＮＡやＲＮＡプローブを用いた細菌や細胞数の測定方法（特許文献４：特開昭６１−２５７２００号公報参照）なども提案されている。しかし、これらの方法は、特殊かつ高価な試薬を用いるため集団検診や健康教育などで広範囲の人々が使用するには、経済的に問題があった。なお、試料中のアンモニア又は尿素の濃度を測定するための分析具は、特許文献５（特開昭５８−１９３４５９号公報参照）に記載されている。
【先行技術文献】
【特許文献】
【０００７】
【特許文献１】特開２００４−１０８９７６号公報
【特許文献２】特開昭６０−７３４６３号公報
【特許文献３】特開昭６２−２１１５５８号公報
【特許文献４】特開昭６１−２５７２００号公報
【特許文献５】特開昭５８−１９３４５９号公報
【非特許文献】
【０００８】
【非特許文献１】Davenport ES, Day S, Hardie JM et al.：A comparison between commercial kits and conventional methods for enumeration of salivary mutans streptococci and lactobacilli. Community Dent Health 9：261-71，1992．
【非特許文献２】Matsumoto Y, Sugihara N, Koseki M：A rapid and quantitative detection system for Streptococcus mutans in saliva using monoclonal antibodies. Caries Res 40：15-19，2006．
【非特許文献３】Lyons SR, Griffen AL, Leys EJ：Quantitative real-time PCR for Porphyromonas gingivalis and total bacteria. J Clin Microbiol 38：2362-2365，2000．
【非特許文献４】桐村和子，境徳子，山本一郎ほか：インキュベート唾液中の揮発性塩基の由来について，歯学69：279-286，1981．
【考案の概要】
【考案が解決しようとする課題】
【０００９】
本考案は、上記事情に鑑みなされたもので、口腔内の清潔度を簡便かつ短時間で経済的にも有利に、しかも精度よく判定し、これにより口腔内の清潔度を予測することができ、集団検診や、保健指導等の健康教育などで広範囲かつ多数の被験者の検査に使用することができる口腔内清潔度検査キットを提供することを目的とする。
【課題を解決するための手段】
【００１０】
本考案によれば、洗口用液の計量具と、この洗口用液で洗口後の吐出液が入れられる回収具と、この吐出液のアンモニア濃度検査具とを備えたことを特徴とする口腔内清潔度検査キットによって、上記目的を達成したものである。
【００１１】
この場合、アンモニア濃度検査具が、アンモニア濃度により呈色反応するアンモニア濃度測定具とその色調判定具とを備えたものであることが好ましく、また、アンモニア濃度検査具が、アンモニア性窒素濃度で０〜２０ｍｇ／Ｌの測定範囲を有するものであることが好ましい。
【００１２】
また、本考案にかかわる他の案によれば、洗口用液の計量具と、この洗口用液で洗口後の吐出液が入れられる回収具と、この吐出液の濁度測定具とを備えたことを特徴とする口腔内清潔度検査キットによって、上記目的を達成したものである。
【００１３】
この場合、濁度測定具が、濁度測定器とその測定検体収容具とを備えたものであることが好ましい。また、濁度測定器としては光電比色計や濁度計があり、簡便性及びコスト面から光電比色計が好ましい。なお、光電比色計としては、波長４２０〜７２０ｎｍの光源の吸光度を測定する測定具であることが好ましい。
【００１４】
本考案人らは、迅速かつ簡易な口腔内の清潔度検査法を確立することを目的に、唾液に比べ短時間で採取が可能な、洗口後の吐出液を用いた簡易検査法の確立を試みた結果、アンモニアを多くの口腔細菌が産生することが報告され（非特許文献４）、また、安静時唾液を用いた職域成人の調査研究結果から、口腔内の清潔度の指標として応用の可能性が考えられる化学的・物理的因子の中からアンモニア濃度及び濁度が高い関連性を示すことに着目し、洗口後の吐出液のアンモニア濃度及び濁度を指標とした簡便かつ迅速な上記口腔内清潔度検査キットを考案することができたものである。
【考案の効果】
【００１５】
この考案の口腔内清潔度検査キットによれば、洗口用液の計量具と、この洗口用液を用いて洗口後の吐出液が入れられる回収具と、この吐出液のアンモニア濃度検査具とを備えるだけで、短時間で採取が可能な洗口後の吐出液を用いて、この洗口後の吐出液のアンモニア濃度を簡単かつ短時間で測定でき、この結果から口腔内の清潔度を簡便かつ短時間で経済的にも有利に、しかも精度よく判定できる。
【００１６】
また、この考案の口腔内清潔度検査キットによれば、洗口用液の計量具と、この洗口用液で洗口後の吐出液が入れられる回収具と、この吐出液の濁度測定具とを備えるだけで、短時間で採取が可能な洗口後の吐出液を用いて、この洗口後の吐出液の濁度を簡単かつ短時間で測定でき、この結果から口腔内の清潔度を簡便かつ短時間で経済的にも有利に、しかも精度よく判定できる。
【００１７】
従って、本考案の口腔内清潔度検査キットは、集団検診や、保健指導等の健康教育などで広範囲かつ多人数の被験者を一度に検査する際に有効に使用することができる。
口腔内の清潔度に影響を及ぼす因子は食物残渣、剥離上皮細胞、食品や嗜好品由来の色素やタール、歯垢、舌苔などが考えられ、特に歯垢や舌苔量が多くなると唾液中の総細菌数が増加し、高齢者では誤嚥性肺炎等のリスクが高まることも指摘されている。本考案により口腔内清潔度を検査することによって、口腔内の衛生状態を予想し、歯垢や舌苔量などの上記因子の影響を推測することができ、これにより、う蝕や歯周疾患のリスクや誤嚥性肺炎のリスク等を推測することも可能と考えられる。
【図面の簡単な説明】
【００１８】
【図１】本考案の口腔内清潔度検査キットの一実施態様を示す概略斜視図である。
【図２】図１のキットを用いて口腔内清潔度を検査する工程を示す概略斜視図である。
【図３】本考案の口腔内清潔度検査キットの他の実施態様を示す概略斜視図である。
【図４】図３のキットに用いる濁度測定具を示す概略斜視図である。
【考案を実施するための形態】
【００１９】
以下、図面を参照してこの考案の最良の形態を説明する。図１は、口腔内清潔度検査キットの一例を示すもので、洗口用液の計量具１と、洗口用液で洗口後の吐出液が入れられる回収具２と、アンモニア濃度検査具３とを備えたものである。
【００２０】
図１中１は洗口用液の計量具であって、計量スプーンである。計量具１は洗口用液を一定量計量し採取できるものであればその形状や材質は特に限定されず、スプーン形状、カップ状などのものが計量し易くかつ入手容易であり、好適に使用でき、計量のための目盛り付きのものを使用してもよい。また、計量具１は一般的に一回の使用で使い捨てされ（ディスポーザブル）、材質としては各種プラスチック製、紙製のものが、使い捨て容易で安価かつ入手し易いことから好適である。計量採取できる容量は必要に応じで適宜選定できるが、３〜２０ｍＬ、特に３〜１０ｍＬ程度採取計量できるものが好ましい。なお、必要に応じて容量の異なる２種以上のものを組み合わせて使用してもよい。
【００２１】
図１中２は、洗口用液で洗口後の吐出液が入れられる回収具である。この回収具２は、計量具１で計量採取した洗口用液を使用者が口腔内に含み洗口した後の唾液を含む吐出液（洗口後の吐出液）を吐き出すために使用されるものであるが、必要に応じて計量具１で計量採取した、洗口に使用される前の洗口用液を一端収容しておき、洗口用液を口腔内に含むための用具として兼用して使用してもよい。この場合、洗口用液を口腔内に含み洗口する際に回収具２内は空になるので、この空になった回収具２が、吐出液を吐き出すための回収具に利用される。
【００２２】
回収具２の形状や材質は特に限定されず、カップ状、ボトル状、ビーカー状、遠沈管状、スピッツ管状、試験管状、セル状、バイアル状などのものが計量し易くかつ入手容易であり、好適に使用できる。また、未使用時には折りたたまれ、使用時にカップ状、ビーカー状、遠沈管状、スピッツ管状、試験管状、セル状、バイアル状などに成形できる折りたたみ式のものを用いてもよい。回収具２は一般的に一回の使用で使い捨てされ（ディスポーザブル）、材質としては各種プラスチック製、紙製のものが、使い捨て容易で安価かつ入手し易いことから好適である。回収具２の容量は、吐出液を収容できれば特に制限はなく適宜選定できるが、１２〜３００ｍＬ、特に３０〜１５０ｍＬ程度の容量のものが好ましい。
【００２３】
図１中３はアンモニア濃度検査具であり、スティック状のアンモニア濃度測定具４とその収容容器５の側面に貼付された色調判定具６からなる。なお、本考案にかかわるアンモニア濃度検査具において、アンモニア濃度測定具の形状はスティック状に限らず、種々の形状のものを使用できる。
【００２４】
ここで、支持体上にアンモニアにより呈色反応する指示薬層を有するスティック状のアンモニア濃度測定具４としては、透明性のポリエステル、プラスチック等の支持体の表面上の一部又は全面に指示薬を含む層を有するものであればその材質や成分、構造などに特に制限はなく、図１に示すように支持体７上に指示薬層８と、唾液中のアンモニアをガス化するアルカリ性緩衝液を含む担体９を有し、この担体によりガス化されたアンモニアガスが指示薬層８の指示薬と呈色反応することによってアンモニア濃度を測定するアンモニア濃度測定具であってもよく、公知のアンモニア検査紙等のアンモニア濃度測定具で、安全面や環境面に問題のないものを使用することができる。
【００２５】
なお、アンモニア濃度測定具の支持体の形状は、使用性の点からスティック状が好適であるが、スティック状の場合、幅３〜７ｍｍ、長さ５０〜１００ｍｍ、厚さ０．１〜０．５ｍｍのものが望ましく、特に幅５ｍｍ、長さ８２ｍｍ、厚さ０．２５ｍｍのものが好適である。
【００２６】
指示薬層に含まれる指示薬は、例えばブロムチモールブルー、チモールブルー、ブロムフェノールレッド、フェノールレッド、ブロムクレゾールグリーン、ブロムクレゾールパープル、クロルフェノールレッド、チモールブルーなどが使用可能であり、市販のアンモニア検査具に使用されている指示薬を用いることができる。
指示薬層の形状は全面積９〜４９ｍｍ2のものが好ましく、特に２５ｍｍ2のものが好適である。
【００２７】
アンモニア濃度測定具の測定可能濃度範囲は、洗口後の吐出液中のアンモニア濃度を測定できればよく、例えばアンモニア性窒素濃度で０〜２０ｍｇ／Ｌ、特に０〜１０ｍｇ／Ｌの範囲が好適であり、その濃度判定基準も必要に応じた段階に設定することができる。
【００２８】
また、図１中、色調判定具６は、アンモニア濃度測定具４の収容容器５の側面に貼付されているが、収容容器５とは別にシート状に形成したものを用いてもよく、アンモニア濃度測定具に応じた色調判定具を使用できる。
色調判定具６による判定は、例えば、指示薬層の呈色後の色調を下記のような段階で判別し、アンモニア濃度を定量することができる。
色調                    アンモニア濃度（Ａ）                  内容
黄色からうす緑        ；０ｍｇ／Ｌ≦Ａ≦１．０ｍｇ／Ｌ        清潔です
うす緑より濃く濃緑まで；１．０ｍｇ／Ｌ＜Ａ≦６．０ｍｇ／Ｌ    やや汚れています
濃緑より濃く青まで    ；６．０ｍｇ／Ｌ＜Ａ≦２０．０ｍｇ／Ｌ  汚れています
【００２９】
色調判定具６は、具体的には下記に示すように、色調をより細分化してアンモニア濃度を測定でき、清潔度の判定ができる。
色調      アンモニア濃度        内容
黄色    ；０ｍｇ／Ｌ            清潔です
うす黄緑；０．２５ｍｇ／Ｌ      清潔です
黄緑    ；０．５ｍｇ／Ｌ        清潔です
うす緑  ；１．０ｍｇ／Ｌ        清潔です
緑      ；３．０ｍｇ／Ｌ        やや汚れています
濃緑    ；６．０ｍｇ／Ｌ        やや汚れています
深緑    ；１０．０ｍｇ／Ｌ      汚れています
【００３０】
アンモニア濃度検査具として具体的には、市販品を使用でき、アミチェック（商品名、アークレイ（株）製）、アクアチェックＡ（商品名、バイエルメディカル（株）製）、テストスティックアンモニア（商品名、（株）ニッソー製）等が挙げられる。
【００３１】
上記口腔内清潔度検査具にてアンモニア濃度により清潔度を検査する場合は、例えば図２に示すように計量具１で洗口用液１０を計量採取し（１−１）、この洗口用液で洗口後の吐出液を回収具２内に回収後（１−２）、この回収具２内の吐出液に、収容容器５から取り出したアンモニア濃度測定具４をその指示薬層８と担体９とが十分に浸るように挿入し吐出液と接触させ（１−３）、その後、吐出液からアンモニア濃度測定具４を引き出して反応させた後、色調判定具６で指示薬層８の色調を判定することで、アンモニア濃度を定量することができる。
【００３２】
ここで、計量具１で採取する洗口用液の採取量は、必要に応じで適宜選定できるが、３〜２０ｍＬ、特に３〜１０ｍＬ程度が好ましい。洗口用液としては、水道水、イオン交換水、蒸留水、ミネラルウォーター等が挙げられ、これらから選ばれる洗口用液を必要に応じて選択して使用することができる。
洗口用液による洗口は、通常の方法で行うことができ、洗口用液を口腔内に含んで洗口をしながら５〜３０秒間洗口することが好ましい。
【００３３】
また、吐出液のアンモニア濃度の測定は、回収具２内の回収した吐出液にアンモニア濃度測定具４をその指示薬層８と担体９とが十分に浸るように挿入し、一定時間、具体的には１５〜３０秒間浸しながら、アンモニア濃度測定具４を上下に振って十分に吐出液と接触させ、その後、吐出液からアンモニア濃度測定具４を引き出し、１５〜３０秒間、１０〜４０℃、特に室温で反応させた後、色調判定具６で指示薬層８の色調を判定することが好ましい。
【００３４】
次に、図３は、口腔内清潔度検査キットの他の例を示すもので、洗口用液の計量具１と、洗口用液で洗口後の吐出液が入れられる回収具２と、この吐出液の濁度測定具１１とを備えたものであり、濁度測定具１１は、濁度測定器１２とその測定検体収容具１３とを備えることができる。
なお、図３において、濁度測定具１１以外の構成は上記図１に示した口腔内清潔度検査キットと同様であるので、図３に図１と同様の参照符号を付して、その説明を省略する。
【００３５】
図３における濁度測定具１１としては、例えば図４に示すものを使用できる。図４中、濁度測定器１２は、光電変換素子を使った光電比色計であり、検体溶液中を透過する特定波長の光の強さを外光の影響を受けずに光電流として読み取り、吸光度として測定するものであり、この吸光度を濁度として用いた。この濁度測定器１２は、その上面に測定検体挿入部１４が設置され、フィルター設置部１５に必要波長選択用の干渉フィルターを挿入し、測定検体挿入部１４に測定検体を収容した収容具１３を挿入することで、特定波長での吸光度を測定できる。１６は電源スイッチ、１７は標準合わせスイッチ、１８はＬＣＤ（液晶）表示部である。
【００３６】
ここで、濁度測定具は、洗口後の吐出液の濁度を測定できれば特に限定されず、種々の市販濁度計を使用できるが、光源が４２０〜７２０ｎｍ、特に５２０〜６６０ｎｍの波長を選択できるものが好ましく、通常、濁度測定器とその測定検体収容具を備えたものが使用される。
具体的には、光電管等の光電変換素子を使い、溶液中を透過してきた上記波長帯の光の強さを光電流として読み取ることができる光電比色計が好ましく使用でき、例えば東京光電社製の光電比色計（商品名；ＡＮＡ−１８Ａ+、測定可能波長４２０〜７２０ｎｍ）などのポータブルタイプで持ち運びしやすい小型サイズのものが好適である。
【００３７】
なお、濁度を測定するための検体収容具は、濁度測定器に用いることができればその形状、容量等に制限はないが、一般的には外光の影響を受け難い透明な角セルや試験管セルなどが用いられ、その材質はプラスチック、ガラス等である。例えば上記光電比色計では１０ｍｍ角セルや直径１２．５〜１８．５ｍｍの試験管セルが用いられ、容量０．６〜４．５ｍＬ程度のものが使用される。また、このセルは蓋を付けることも可能であり、蓋をつけることにより吐出液を手で汚すことなく攪拌できる。
【００３８】
上記口腔内清潔度測定キットにおいて、濁度の測定は、アンモニア濃度測定による口腔内清潔度測定キットの場合と同様に図２に示す１−１、１−２の工程により、計量具１で計量採取した洗口用液１０で洗口後の吐出液を回収具２内に回収した後、この回収具２内の吐出液を、図３に示す検体収容具１３に入れて濁度測定器１２で測定すればよい。この場合、吐出液の濁度測定における測定波長は５２０〜６６０ｎｍの範囲が好適である。
【００３９】
本考案のキットを用いて口腔内清潔度を測定する場合、被験者は食物摂取後６０〜１２０分間程度経過した状態であることが、食物摂取の影響を防止する点で好ましい。
口腔内の清潔度のアンモニア濃度又は濁度の測定結果による判別は、例えば下記のような基準で行うことができる。
アンモニア濃度による判定：（洗口溶液１０ｍＬで洗口後の吐出液のアンモニア濃度）
アンモニア濃度（Ａ）              内容
レベル１；  ０ｍｇ／Ｌ≦Ａ≦１ｍｇ／Ｌ        清潔です
レベル２；  １ｍｇ／Ｌ＜Ａ≦６ｍｇ／Ｌ        やや汚れています
レベル３；  ６ｍｇ／Ｌ＜Ａ≦２０ｍｇ／Ｌ      汚れています
濁度による判定：（洗口溶液１０ｍＬで洗口後の吐出液の濁度）
濁度                        内容
レベル１；  ０〜０．０７９              清潔です
レベル２；  ０．０８０〜０．１３９      やや汚れています
レベル３；  ０．１４０以上              汚れています
【００４０】
以上、本考案の具体例２例を示したが、本考案は上記例に限定されるものではなく、各部の構成や組み合わせは、本考案の要旨を逸脱しない範囲であれば種々変更して差し支えない。
【実施例】
【００４１】
この考案の一具体例として、図１に示す口腔内清潔度検査キットを用いてアンモニア濃度を、また、図３に示す口腔内清潔度検査キットを用いて濁度を測定し、下記実験例１，２及び３に示す方法で検査を行った。
【００４２】
〔実験例１〕
口腔内の清潔度として、阿部らの方法（阿部修，石原和幸，足立三枝子ほか：要介護高齢者肺炎予防を目的とした口腔ケアガイドラインの作成．日本歯科医師会雑誌，５７：６−１２，２００４）を用いてプラーク付着レベルを視覚的に判定することにより、被験者を口腔の清潔な群、やや汚れている群、汚れている群の３群（各群５名）に分け、飲食後２時間以上経過した午前１０時から１１時の間に下記方法で清潔度の検査を行った。
図３に示す口腔内清潔度検査キットを用い、図２の工程１−１，１−２に従い、計量具１（容量１０ｍＬの計量スプーン）で採取した１０ｍＬのイオン交換水を回収具２（プラスチック製のコップ）に入れ、この回収具２内の洗口用液１０を被験者が口に含んで１０秒間洗口した後、回収具２内に吐出し、この吐出液を洗口後の吐出液として採取した。洗口後の吐出液を室温下、直ちに図３に示す口腔内清潔度検査キットの検体収容具１３（ディスポーサブルセル）に３ｍＬ入れ、濁度測定器１２で波長６６０ｎｍでの吸光度を測定した。
なお、濁度測定器１２としては、東京光電社製の光電比色計ＡＮＡ−１８Ａ+を使用し、選択波長６６０ｎｍの干渉フィルターを用いた。ディスポーサブルセルはこの光電比色計に対応するもので、容量４．５ｍＬのプラスチック製の透明角セルを用いた。
また、残りの洗口後の吐出液をアンモニア濃度測定用試料として、図１に示す口腔内清潔度検査キットを用い、アンモニア濃度測定具４（アンモニア検査紙（商品名；アクアチェックＡ、バイエルメディカル（株）製））を使用して、図２の工程１−３によりアンモニア濃度測定具４の呈色部８及び担体９を、洗口後の吐出液中に３０秒間挿入・攪拌し、引き上げて、３０秒反応させた後、工程１−４によりアクアチェックＡの使用法に準じ、プラスチック（支持体：アンモニア濃度測定具４）の裏から、プラスチックを通しての色の変化を視覚判定し、清潔度を求めた。視覚判定は、アンモニア試験紙の判定表の判定基準に従い行った。その結果を表１に示す。
【００４３】
【表１】
0003151124.tif 000003
【００４４】
表１の結果から、口腔の清潔な群は、濁度、アンモニア濃度共に、他の群に比べ、格段に低かった。一方、やや汚れている群、汚れている群は、口腔の汚れの増加に伴い、濁度、アンモニア濃度共に増加し、口腔の清潔度と洗口後の吐出液の濁度及びアンモニア濃度との関連性が認められた。
【００４５】
〔実験例２〕
６０名の成人男子を被験者とし、洗口用液として水道水１０ｍＬを用い、上記実験例１と同様にして１０秒間洗口後の洗口後の吐出液中のアンモニア濃度及び濁度を測定した。また、洗口後の吐出液中の総細菌数をリアルタイムＰＣＲ法（Ｎａｄｋａｒｎｉ  ＭＡ，  Ｍａｒｔｉｎ  ＦＥ，  Ｊａｃｑｕｅｓ  ＮＡ  ｅｔ  ａｌ．：Ｄｅｔｅｒｍｉｎａｔｉｏｎ  ｏｆ  ｂａｃｔｅｒｉａｌ  ｌｏａｄ  ｂｙ  ｒｅａｌ−ｔｉｍｅ  ＰＣＲ  ｕｓｉｎｇ  ａ  ｂｒｏａｄ−ｒａｎｇｅ  （ｕｎｉｖｅｒｓａｌ）  ｐｒｏｂｅ  ａｎｄ  ｐｒｉｍｅｒｓ  ｓｅｔ．  Ｍｉｃｒｏｂｉｏｌｏｇｙ  １４８：２５７−２６６，２００２．参照）により測定し、関連性を調べた。その結果を表２に示す。
【００４６】
【表２】
0003151124.tif 000004
【００４７】
表２の結果から、アンモニア濃度と総細菌数、濁度と総細菌数との間に高い関連性が認められ、アンモニア濃度及び濁度が、口腔内の清潔度（総細菌数）の指標になり、口腔内清潔度の推測に有効であることが確認できた。
【００４８】
〔実験例３〕
５名の成人男子を被験者とし、飲食後２時間以上経過した午前１０時から１１時の間に下記方法で清潔度の検査を行った。実験例１と同様に、図３に示す口腔内清潔度検査キットを用い、図２に示す工程の１−１，１−２に従い、計量具１で採取した１０ｍＬの洗口用液１０（水道水、イオン交換水、ミネラルウォーター又は蒸留水）を回収具２に入れ、この回収具２内の洗口用液を被験者が口に含んで１０秒間洗口した後、回収具２内に吐出し、この吐出液を洗口後の吐出液として採取した。洗口後の吐出液を室温下、直ちに図３に示す口腔内清潔度検査キットの検体収容具１３（ディスポーサブルセル）に３ｍＬ入れ、濁度測定器１２で波長６６０ｎｍでの吸光度を測定した。なお、濁度測定器としては、東京光電社製の光電比色計ＡＮＡ−１８Ａ+を使用し、選択波長６６０ｎｍの干渉フィルターを用いた。ディスポーサブルセルはこの光電比色計に対応するもので、容量４．５ｍＬのプラスチック製の透明角セルを用いた。
【００４９】
また、上記洗口後の吐出液の一部をアンモニア濃度の測定用に用い、図１に示す口腔内清潔度検査キットを用い、アンモニア濃度測定具４（アンモニア検査紙（商品名；アクアチェックＡ、バイエルメディカル（株）製））を使用し、図２の工程１−３に示すようにアンモニア濃度測定具４の呈色部８及び担体９を洗口後の吐出液中に３０秒間挿入・攪拌し、引き上げて３０秒反応させた後、工程１−４に示すようにアクアチェックＡの使用法に準じ、裏向きにして、プラスチック（支持体：アンモニア濃度測定具４）を通して色の変化を視覚判定し、アンモニア濃度を測定した。視覚判定は、アンモニア試験紙の判定表の判定基準に従い行った。その結果を表３に示す。
【００５０】
【表３】
0003151124.tif 000005
【００５１】
表３の結果から、洗口用液は水道水、イオン交換水、ミネラルウォーター、蒸留水で分析結果に大きな差はないことがわかった。
【符号の説明】
【００５２】
１  計量具
２  回収具
３  アンモニア濃度検査具
４  アンモニア濃度測定具
５  収容容器
６  色調判定具
７  支持体
８  指示薬層
９  担体
１０  洗口用液
１１  濁度測定具
１２  濁度測定器
１３  検体収容具
１４  測定検体挿入部
１５  フィルター設置部
１６  電源スイッチ
１７  標準合わせスイッチ
１８  ＬＣＤ表示部
【図１】
0003151124.tif 000006
【図２】
0003151124.tif 000007
【図３】
0003151124.tif 000008
【図４】
0003151124.tif 000009